(57)【要約】【課題】照明光の色ムラを無くし、均一な色合いの良好な照明光を得ることができると共に、光量を増加することができるＬＥＤランプを光源として用いる照明器具。【解決手段】第１のＬＥＤランプの光軸方向と、第１のＬＥＤランプの近傍に配置される第２のＬＥＤランプの光軸方向と異ならせて配設し、第１のＬＥＤランプと第２のＬＥＤランプの照明光の光軸が反射板上で略集合する構成として、照明光の光量を増加し、且つ均一な色合いの白色照明光を得る。【選択図】  図１
2004186104.tif 000002
【特許請求の範囲】
【請求項１】
少なくとも、光軸方向が異なる角度となるように配設される複数のＬＥＤランプと、反射板を備え、該複数のＬＥＤランプの光軸が該反射板で略集合する構成であることを特徴とする照明器具。
【請求項２】
第１のＬＥＤランプと、第１のＬＥＤランプの近傍に配設される第２のＬＥＤランプと、該反射板を挟んで対称位置に、第１のＬＥＤランプに対応する光軸角度で設けられる第３のＬＥＤランプと、第２のＬＥＤランプに対応する光軸角度で設けられる第４のＬＥＤランプとを備え、該第１乃至第４のＬＥＤランプの光軸が該反射板で略集合する構成であることを特徴とする請求項１記載の照明器具。
【発明の詳細な説明】
【０００１】
【発明の属する技術分野】
本発明は、ＬＥＤランプを光源とする照明器具に係り、色ムラが無い均一な照明光を得ることができる照明器具に関する。
【０００２】
【従来の技術】
近年、ＬＥＤランプを光源とする照明器具が注目され、例えば建築物と一体化されたＬＥＤ光源の建築化照明器具等が提案されているが、ＬＥＤ光源の照明光は高い指向性を有し、例えば中心部分が青色光、周辺部分が黄色光のように色ムラを生ずるため、ＬＥＤ光源の照明器具に於いて照明光の色合いを均一化する技術が重要となる。
【０００３】
ＬＥＤ光源を用いた照明器具の照明光の色合いを均一化する技術が開示されている公知文献として特許文献１がある。特許文献１には、ＬＥＤランプを所定の指向方向で配設し、そのＬＥＤランプの前方に表面に微細な凹凸が形成された拡散板を設け、その拡散板でＬＥＤランプの照明光の色調を略均一化する照明器具が開示されている。
【０００４】
【特許文献１】特開２００１−２６６６０６号公報
【０００５】
【発明が解決しようとする課題】
ところで、照明器具に於いてはデザインや用途に応じて製品の多様性が強く要求され、それに応じて照明光の色合いを均一化することができる多様な技術が切望されている。また、光量を増加して効率的な照明を行えることも照明器具として極めて重要である。
【０００６】
本発明は上記課題に鑑み提案するものであって、ＬＥＤランプを光源とする照明器具に於いて、照明光の色ムラを無くし、均一な色合いの良好な照明光を得ることができると共に、光量を増加して効率的な照明を行うことができる照明器具を提供することを目的とする。
【０００７】
【課題を解決するための手段】
本発明の照明器具は、少なくとも、光軸方向が異なる角度となるように配設される複数のＬＥＤランプと、反射板を備え、該複数のＬＥＤランプの光軸が該反射板で略集合する構成であることを特徴とする。例えば第１のＬＥＤランプの光軸方向と、第１のＬＥＤランプに近傍に配置される第２のＬＥＤランプの光軸方向を異ならせ、第１と第２のＬＥＤランプの光軸が反射板上で略集合する構成や、第１のＬＥＤランプと、該反射板を挟んで対称位置に、第１のＬＥＤランプに対応し且つ異なる光軸角度で設けられる第３のＬＥＤランプを有し、第１と第３のＬＥＤランプの光軸が反射板上で略集合する構成等とする。反射板上で複数のＬＥＤランプの光軸を略集合させ、照明器具の照明光の光量を増加することができると共に、前記反射板の略集合箇所等に於ける照明光の混色で色ムラを無くし、色合いの均一な白色光等の良好な照明光を得ることができる。
【０００８】
さらに、本発明の照明器具は、第１のＬＥＤランプと、第１のＬＥＤランプの近傍に配設される第２のＬＥＤランプと、該反射板を挟んで対称位置に、第１のＬＥＤランプに対応する光軸角度で設けられる第３のＬＥＤランプと、第２のＬＥＤランプに対応する光軸角度で設けられる第４のＬＥＤランプとを備え、該第１乃至第４のＬＥＤランプの光軸が該反射板で略集合する構成であることを特徴とする。前記構成により、照明器具の照明光の光量の増加、照明光の色合いの均一化等の効果をより一層顕著に発揮できる。
【０００９】
尚、前記複数のＬＥＤランプを長手方向に並設し、前記光軸の略集合箇所を略線状に並列する照明器具とすると、細長の室内灯などに適用することが可能となって好適であり、又、複数のＬＥＤランプの光軸を略一点に集合させる構成として、スポットライト等に使用してもよい。又、略線状に光軸の先端が反射板に並列するようにし、略線状に略集合が構成されるようにしてもよい。又、ＬＥＤランプの個数は、２以上の複数であれば３、４、５、６個など適宜である。
【００１０】
【発明の実施の形態】
以下では、本発明の照明器具について図に於ける具体的な実施形態に基づき説明する。図１は第１実施形態の照明器具を示す縦断側面図である。
【００１１】
第１実施形態の照明器具１は、図１に示すように、天井Ｃに埋め込まれて設けられる天井灯であり、紙面垂直方向を長手方向とする略細長箱形の収納部２を有し、収納部２は開口を下方に向けて天井Ｃに埋め込まれ、ボルト３及びナット４で固定され取り付けられている。収納部２の内部には、同様に紙面垂直方向を長手方向とする細長の基体５が内設されており、基体５には、略山形の突起或いは突条５１を挟んで略凹溝形の筐体取付部５２・５２が設けられ、その上面は略弧状の反射板５３になっている。
【００１２】
筐体６は紙面垂直方向を長手方向とする略細長箱形であり、底板６１及び略中間位置に架設されている取付板６２を挟んで、一方に取付板６２より下方位置に配線等に用いる開口６３が形成されている側板６４と、他方に開口がない側板６５を有する。前記取付板６２及び側板６４、６５に囲まれた略凹溝形の部分はＬＥＤランプ７の収容部分になっており、紙面垂直方向を長手方向とする細長板のＬＥＤ基板８上に、その長手方向に沿って複数のＬＥＤランプ７が並設され、ＬＥＤランプ７はＬＥＤ基板８を介在して取付板６２に取り付けられ、筐体６の開口に向けて設けられている。各ＬＥＤランプ７は図に省略した配線及び回路構造により点灯・消灯するようになっている。
【００１３】
ＬＥＤランプ７を収容する筐体６は、それぞれ筐体取付部５２に収容され、突条５１を挟んで上下に近傍位置で設けられており、各筐体６は開口がない方の側板６５の外側面を突条５１の側面に接触し、図に省略した取付具で筐体取付部５２に固定されている。前記筐体６が取り付けられた状態では、突条５１の上側に設けられた筐体６内のＬＥＤランプ７の光軸Ｌと、上側のＬＥＤランプ７と略同一位置で、突条５１の下側に設けられた筐体６内のＬＥＤランプ７の光軸Ｌとが、反射板５３の所定位置、例えば図１の集合箇所Ｆ或いは集合領域に略集合するようになっており、換言すれば前記所定位置に光軸Ｌが略集合する所定角度で突条５１の上側のＬＥＤランプ７と下側のＬＥＤランプ７が配設されている。更に、前記上側のＬＥＤランプ７と下側のＬＥＤランプ７は、紙面垂直方向の長手方向に複数組並設され、前記光軸Ｌの略集合箇所が略線状に並列されている。Ｌ１は例えば指向角半値幅の光など、明るさ強度が最大の正面光軸Ｌに対し所定の明るさ強度指向角の光である。
【００１４】
更に、筐体６の開口６３が形成されている側板６４の外側には前記側板６４の外側面に略沿って板バネ９が配設され、板バネ９は筐体６を突条５１の方向へ付勢して、筐体６の側板６５の外側面を突条５１の側面に押圧して圧接しており、筐体６の突条５１への面接触により、ＬＥＤランプ７の発熱に対する筐体６、基体５、収納部２へ至る放熱性が高い放熱経路を構成し、ＬＥＤランプ７或いは照明器具１の寿命の長期化を図っている。尚、基体５、筐体６、収納部２はアルミニウム等の放熱性が高い素材で形成されている。
【００１５】
上記第１実施形態の照明器具１により、複数のＬＥＤランプ７の光軸Ｌを反射板５３上で複数のＬＥＤランプ７の光軸を集合箇所Ｆに略集合させ、照明器具１の照明光の光量を増加することができると共に、前記反射板５３の略集合箇所や反射板５３のその他の位置の照明光の反射等により、例えば青色や黄色などのＬＥＤランプ７の照明光を混色し、色調の平均化を図って色ムラを無くし、色合いの均一な白色光等の良好な照明光を得ることができる。
【００１６】
次に、本発明の第２実施形態の照明器具１について説明する。図２は第２実施形態の照明器具を示す縦断側面図である。尚、第２実施形態の照明器具１で特に言及しない基本構成は、第１実施形態の照明器具１と同様である。
【００１７】
第２実施形態の照明器具１は、図２に示すように、天井から吊り下げられて設置される天井灯であり、略細長箱形の収納部２が開口を下方に向けて配置され、ボルト３及びナット４で固定され取り付けられている。収納部２に内設されている基体５は、略弧状の反射板５３と、反射板５３の左右にそれぞれ別体で配置される、略山形の突起或いは突条５１と突条５１を挟んで形成されている略凹溝形の筐体取付部５２を備える筐体保持部５４とで構成されている。筐体保持部５４は略上部で反射板５３の端部に係合していると共に、下端から外方に突出したＬ字部が収納部２の内方に突出したＬ字部に係合し、収納部２に取り付けられている。
【００１８】
筐体６の構成やＬＥＤランプ７、ＬＥＤ基板８、板バネ９の構成等は上記第１実施形態と同様であり、ＬＥＤランプ７を収容する筐体６はそれぞれ筐体取付部５２に収容され、突条５１を挟んで上下に近傍位置で設けられており、各筐体６は側板６５の外側面を突条５１の側面に接触し、筐体取付部５２に固定されている。そして、第２実施形態のＬＥＤランプ７を収容している筐体６は、左右にそれぞれ位置する筐体保持部５４の突条５１の上下に各々設けられ、図２に於いて左右２箇所ずつ、合計で４箇所設けられている。
【００１９】
前記筐体６が取り付けられた状態では、左側の筐体保持部５４に於いて、突条５１の上側に設けられた筐体６内のＬＥＤランプ７の光軸Ｌと、突条５１の下側に設けられた筐体６内のＬＥＤランプ７の光軸Ｌとが反射板５３の所定位置に略集合し、且つ右側の筐体保持部５４に於いて、突条５１の上側に設けられた筐体６内のＬＥＤランプ７の光軸Ｌと、突条５１の下側に設けられた筐体６内のＬＥＤランプ７の光軸Ｌとが反射板５３の所定位置、例えば図２の集合箇所Ｆ或いは集合領域に略集合すると共に、左側と右側のＬＥＤランプ７の光軸Ｌの集合箇所Ｆ或いは集合領域が略同一位置になる構成である。換言すれば図２の左右４箇所に設置されたＬＥＤランプ７の４つの光軸Ｌ全てが反射板５３の所定位置の集合箇所Ｆ或いは集合領域に略集合するようになっており、本実施形態では弧状の反射板５３の中央の集合箇所Ｆに略集合している。
【００２０】
上記第２実施形態の照明器具１により、複数のＬＥＤランプ７の光軸Ｌを反射板５３上で複数のＬＥＤランプ７の光軸を集合箇所Ｆに略集合させ、照明器具１の照明光の光量をより増加することができると共に、前記反射板５３の略集合箇所や反射板５３のその他の位置の照明光の反射等により、例えば青色や黄色などのＬＥＤランプ７の照明光を混色し、色調の平均化を図って色ムラを無くし、色合いの均一な白色光等の一層良好な照明光を得ることができる。
【００２１】
尚、ＬＥＤランプ７の配置個数や配置形態や形状、反射板５３の形状、ＬＥＤランプ７と反射板５３の相対的な位置関係等は本発明の趣旨の範囲内で適宜であり、又、複数のＬＥＤランプ７の光軸が反射板５３上で略集合する箇所は１箇所若しくは複数箇所とすることが可能であり、前記複数箇所とする場合にはそれらの位置関係は略線状、略円形、対称位置、所要位置など適宜である。又、反射板５３上の光軸の略集合には、一致する場合に加え、例えば同一線上でずれた位置や、互いに近傍する位置になる等、概略集合するものであれば本発明に包含される。又、光軸が反射板５３上で集合箇所に集合しないＬＥＤランプ７を含むものも本発明に包含される。又、上記実施形態では照明器具１として天井灯の場合について説明したが、壁面灯、足下灯、スタンドライトなど適宜の照明器具とすることが可能である。
【００２２】
【発明の効果】
本発明のＬＥＤランプを光源とする照明器具を用いることにより、照明光の色ムラを無くし、均一な色合いの良好な照明光を得ることができると共に、所望方向への光量を増加して、光を有効利用した効率的な照明を行うことができるという格別な効果を奏することができる。また、照明光の色合いを均一化する技術の多様化に寄与する。
【図面の簡単な説明】
【図１】第１実施形態の照明器具を示す縦断側面図。
【図２】第２実施形態の照明器具を示す縦断側面図。
【符号の説明】
１  照明器具
２  収納部
５  基体
５１  突条
５２  筐体取付部
５３  反射板
６  筐体
７  ＬＥＤランプ
８  ＬＥＤ基板
９  板バネ
Ｃ  天井
Ｌ  光軸
Ｌ１  所定強度指向角の光
Ｆ  光軸の集合箇所
【図１】
2004186104.tif 000003
【図２】
2004186104.tif 000004